(57)【特許請求の範囲】
【請求項１】
前後方向に延びる多数の冷却管を互いに平行に配列した冷却管管束の上部管束と下部管束との間に、左右対称に２分割された末広がり状に配設された空気冷却用冷却管群を設け、各空気冷却用冷却管群の内面に沿う垂直片部と、外面に沿う傾斜片部と、その垂直片部と傾斜片部の頂部を接続する頂片部により形成され、上記各空気冷却用冷却管群を各別に覆う互いに平行な２つのそらせ板部からなる、下端が左右方向に拡開する八の字型のそらせ板により上記空気冷却用冷却管及び上記下部管束の上方を覆うとともに、上記左右対称に２分割された冷却管管束間の間隙内に、下端が上記そらせ板部との間に形成された空気冷却用冷却管群の上部空所に連通し冷却管管束内部を上方に延びる空気排出内管を設け、各空気排出内管の上部が上記冷却管管束の上部に配設された空気排出ヘッダに接続され、上記空気排出ヘッダの側面には冷却管管束内部に延び上記間隙を覆うショートパス防止板が取り付けられていることを特徴とする復水器。
【請求項２】
前後方向に延びる多数の冷却管を互いに平行に配列した冷却管管束の上部管束と下部管束との間に、左右対称に２分割された末広がり状に配設された空気冷却用冷却管群を設け、各空気冷却用冷却管群の内面に沿う垂直片部と、外面に沿う傾斜片部と、その垂直片部と傾斜片部の頂部を接続する頂片部により形成され、上記各空気冷却用冷却管群を各別に覆う互いに平行な２つのそらせ板部からなる、下端が左右方向に拡開する八の字型のそらせ板により上記空気冷却用冷却管及び上記下部管束の上方を覆うとともに、上記左右対称に２分割された冷却管管束間の間隙内に、下端が上記そらせ板部との間に形成された空気冷却用冷却管群の上部空所に連通し冷却管管束内部を上方に延びる空気排出内管を設け、上記２分割された冷却管管束間の間隙の上部には、下端が左右方向に拡開し冷却管管束内に延びるショートパス防止板が設けられ、前記空気排出内管が上記ショートパス防止板を貫通して上方に突出し、上記冷却管管束の上方に設けられた空気排出ヘッダに接続されていることを特徴とする復水器。
【請求項３】
前後方向に延びる多数の冷却管を互いに平行に配列した冷却管管束の上部管束と下部管束との間に、左右対称に２分割された末広がり状に配設された空気冷却用冷却管群を設け、各空気冷却用冷却管群の内面に沿う垂直片部と、外面に沿う傾斜片部と、その垂直片部と傾斜片部の頂部を接続する頂片部により形成され、上記各空気冷却用冷却管群を各別に覆う互いに平行な２つのそらせ板部からなる、下端が左右方向に拡開する八の字型のそらせ板により上記空気冷却用冷却管及び上記下部管束の上方を覆うとともに、上記冷却管管束間の内部に設けられた空気排出内管の一端が、左右の空気冷却用冷却管群の上部空所を連通する連通路に接続され、上記２分割された冷却管管束間の間隙の上部には、下端が左右方向に拡開し冷却管管束内に延びるショートパス防止板が設けられ、前記空気排出内管が上記ショートパス防止板を貫通して上方に突出し、上記冷却管管束の上方に設けられた空気排出ヘッダに接続されていることを特徴とする復水器。
【請求項４】
前後方向に延びる多数の冷却管を互いに平行に配列した冷却管管束の上部管束と下部管束との間に、左右対称に２分割された末広がり状に配設された空気冷却用冷却管群を設け、各空気冷却用冷却管群の内面に沿う垂直片部と、外面に沿う傾斜片部と、その垂直片部と傾斜片部の頂部を接続する頂片部により形成され、上記各空気冷却用冷却管群を各別に覆う互いに平行な２つのそらせ板部からなる、下端が左右方向に拡開する八の字型のそらせ板により上記空気冷却用冷却管及び上記下部管束の上方を覆うとともに、上記左右対称に２分割された冷却管管束間の間隙内に、上端が上記そらせ板部との間に形成された空気冷却用冷却管群の上部空所に連通し冷却管管束内部を下方に延びる空気排出内管を設けたことを特徴とする復水器。
【請求項５】
空気排出内管には冷却管群内に突出するショートパス防止板が設けられていることを特徴とする、請求項４記載の復水器。
【請求項６】
空気冷却用冷却管群上部の冷却管支え板に、各支え板間の空気冷却部を連通させる空気連通孔を設け、復水器外の空気排出用の空気排出管を各冷却管支え板間のいずれかのセクション管束の空気冷却部に連通させたことを特徴とする、請求項４または５記載の復水器。
【発明の詳細な説明】
【０００１】
【発明の属する技術分野】
本発明は、火力或は原子力発電プラントにおける蒸気タービン排気蒸気を凝縮する復水器に関する。
【０００２】
【従来の技術】
一般に、蒸気タービンプラントにおいては蒸気タービンで仕事を行い膨張した蒸気を表面接触式の復水器で凝縮回収することが行われている。
【０００３】
図１０は、上記復水器の一実施例の断面を示す図であり、図示しない上記タービンから排出される排気が流入する復水器本体胴１内には、互いに平行に前後方向（紙面に直交する方向）に延びる多数本の冷却管の集合体からなる冷却管管束２が配設されており、上記蒸気タービンからの排気が各冷却管内に流通される海水や河川水等の冷却水とその各冷却管の表面で熱交換し、凝縮しドレンとなるようにしてある。
【０００４】
ところで、上記冷却管管束２は、複数の管群２ａ、２ｂ、２ｃ、２ｄ及び２ｅに分割されており、これらの伝熱管群はドレンの発生によって他の伝熱管群の熱交換に悪影響を与えないように仕切板３，４によって互いに区画されている。また、上記冷却管管束２の下部には仕切板５ａ、５ｂを介して蒸気の残有エネルギを凝縮する空気冷却管群６，７が配設され、その空気冷却管群６，７の側部にガス押出部８，９が設けられている。上記空気冷却管群６，７の下方は囲い板１０，１１によって被われており、その両囲い板１０，１１の中間下方にはＵシールを有する散水箱１２が設けられている。
【０００５】
しかして、上記冷却管管束２で熱交換され凝縮したドレンは、蒸気の流れによって管束中央に集められ、下方の囲い板１０，１１によって被われた空気冷却管群６，７の間から下方の散水箱１２に流入し、Ｕシールを介して復水器本体胴１の最下部のホットウエル１３に落下してドレン出口１４から器外に流出される。
【０００６】
一方、上記冷却管管束２で凝縮しきれない蒸気と空気等の不凝縮ガスは囲い板１０，１１で覆われた空気冷却管群６，７を外側へ横方向に流れ、ガス押出部８，９を経て、そのガス押出部８，９に接続されている空気排出管１５を介して本体胴１の外部へ排出される。
【０００７】
【発明が解決しようとする課題】
ところで、上記空気排出管１５は上述のように空気冷却管群の外側に接続されているため、この空気排出管１５には空気冷却管群６，７で発生したドレンが混入しやすい。したがって、上述のように空気排出管１５内に混入したドレンがその空気排出管内に滞留せずに散水箱１２の方に戻るように、空気排出管に垂直配管部や登り勾配をつけて不凝縮ガスを上方に導くようにし、不凝縮ガスの排出をスムーズにし後流の機器の浸食や腐食を防止するようにしている。
【０００８】
また、一度空気排出管内に浸入したドレンは、管内の流速が速いと重力に逆らって不凝縮ガスによって運ばれてしまうことがあり、さらに圧力損失の増大が復水器性能に大きく影響するので、流速を下げるために太い配管を使用している。
【０００９】
このため、この空気排出管は冷却管管束部２の側部を通って上方に向うように配設する必要がある。
【００１０】
ところが、上記冷却管管束部２の側部は、上方から流れてきた蒸気が流れの方向を変えて冷却管管束部２内に流入する部分であり、この部分では管束によって流路面積が絞られ、蒸気流速が最も速い部分でもある。
【００１１】
したがって、このような高流速部に障害物となる空気排出管１５を配置することは圧力損失が増すことになり、ひいてはタービンの出口圧力を上昇させ、熱エネルギーの有効利用が阻害される等の問題がある。また冷却管管束部同志の間や管束部と本体胴との間に空気排出管１５を引き回す必要があるため、本体胴１の下部の幅を広げる一因となり、復水器のコンパクト化が妨げられる等の問題がある。
【００１２】
本発明はこのような点に鑑み、上記空気排出管による蒸気流の圧損を防止し、熱エネルギーの損失を防止するとともに復水器のコンパクト化を図ることができるようにした復水器を得ることを目的とする。
【００１３】
【課題を解決するための手段】
第１の発明は、前後方向に延びる多数の冷却管を互いに平行に配列した冷却管管束の上部管束と下部管束との間に、左右対称に２分割された末広がり状に配設された空気冷却用冷却管群を設け、各空気冷却用冷却管群の内面に沿う垂直片部と、外面に沿う傾斜片部と、その垂直片部と傾斜片部の頂部を接続する頂片部により形成され、上記各空気冷却用冷却管群を各別に覆う互いに平行な２つのそらせ板部からなる、下端が左右方向に拡開する八の字型のそらせ板により上記空気冷却用冷却管及び上記下部管束の上方を覆うとともに、上記左右対称に２分割された冷却管管束間の間隙内に、下端が上記そらせ板部との間に形成された空気冷却用冷却管群の上部空所に連通し冷却管管束内部を上方に延びる空気排出内管を設け、各空気排出内管の上部が上記冷却管管束の上部に配設された空気排出ヘッダに接続され、上記空気排出ヘッダの側面には冷却管管束内部に延び上記間隙を覆うショートパス防止板が取り付けられていることを特徴とする。
【００１４】
第２の発明は、前後方向に延びる多数の冷却管を互いに平行に配列した冷却管管束の上部管束と下部管束との間に、左右対称に２分割された末広がり状に配設された空気冷却用冷却管群を設け、各空気冷却用冷却管群の内面に沿う垂直片部と、外面に沿う傾斜片部と、その垂直片部と傾斜片部の頂部を接続する頂片部により形成され、上記各空気冷却用冷却管群を各別に覆う互いに平行な２つのそらせ板部からなる、下端が左右方向に拡開する八の字型のそらせ板により上記空気冷却用冷却管及び上記下部管束の上方を覆うとともに、上記左右対称に２分割された冷却管管束間の間隙内に、下端が上記そらせ板部との間に形成された空気冷却用冷却管群の上部空所に連通し冷却管管束内部を上方に延びる空気排出内管を設け、上記２分割された冷却管管束間の間隙の上部には、下端が左右方向に拡開し冷却管管束内に延びるショートパス防止板が設けられ、前記空気排出内管が上記ショートパス防止板を貫通して上方に突出し、上記冷却管管束の上方に設けられた空気排出ヘッダに接続されていることを特徴とする。
【００１５】
また、第３の発明は、前後方向に延びる多数の冷却管を互いに平行に配列した冷却管管束の上部管束と下部管束との間に、左右対称に２分割された末広がり状に配設された空気冷却用冷却管群を設け、各空気冷却用冷却管群の内面に沿う垂直片部と、外面に沿う傾斜片部と、その垂直片部と傾斜片部の頂部を接続する頂片部により形成され、上記各空気冷却用冷却管群を各別に覆う互いに平行な２つのそらせ板部からなる、下端が左右方向に拡開する八の字型のそらせ板により上記空気冷却用冷却管及び上記下部管束の上方を覆うとともに、上記冷却管管束間の内部に設けられた空気排出内管の一端が、左右の空気冷却用冷却管群の上部空所を連通する連通路に接続され、上記２分割された冷却管管束間の間隙の上部には、下端が左右方向に拡開し冷却管管束内に延びるショートパス防止板が設けられ、前記空気排出内管が上記ショートパス防止板を貫通して上方に突出し、上記冷却管管束の上方に設けられた空気排出ヘッダに接続されていることを特徴とする。
【００１６】
さらに、第４の発明は、前後方向に延びる多数の冷却管を互いに平行に配列した冷却管管束の上部管束と下部管束との間に、左右対称に２分割された末広がり状に配設された空気冷却用冷却管群を設け、各空気冷却用冷却管群の内面に沿う垂直片部と、外面に沿う傾斜片部と、その垂直片部と傾斜片部の頂部を接続する頂片部により形成され、上記各空気冷却用冷却管群を各別に覆う互いに平行な２つのそらせ板部からなる、下端が左右方向に拡開する八の字型のそらせ板により上記空気冷却用冷却管及び上記下部管束の上方を覆うとともに、上記左右対称に２分割された冷却管管束間の間隙内に、上端が上記そらせ板部との間に形成された空気冷却用冷却管群の上部空所に連通し冷却管管束内部を下方に延びる空気排出内管を設けたことを特徴とする。
【００１７】
また第５の発明は、空気排出内管が冷却管管束内部を下方に延びるものに於て、その空気排出内管に冷却管群内に突出するショートパス防止板が設けられていることを特徴とする。
【００１８】
第６の発明は、空気冷却用冷却管群上部の冷却管支え板に、各支え板間の空気冷却部を連通させる空気連通孔を設け、復水器外の空気排出用の空気出口配管を各冷却管支え板間のいずれかのセクション管束の空気冷却部に連通させたことを特徴とする。
【００１９】
【発明の実施の形態】
以下、添付図面を参照して本発明の実施の形態について説明する。
【００２０】
図１は本発明の復水器の断面図、図２は冷却管管束の断面図であって、復水器本体胴１内には複数の冷却管管束２０が互いに並設されており、その冷却管管束２０の下方にホットウエル１３が形成されている。
【００２１】
上記各冷却管管束２０は、特に図２に示すように、上部管束２１及び下部管束２２により形成されている。上記上部管束２１は左右対称に２分割されており、その外形は上端から下方にいく程水平方向の幅が大きくなる形状に形成され、その下端部には上方に向って幅が狭くなった空所２３が形成されている。
【００２２】
上記空所２３内には、下端が左右方向に拡開する八の字型のそらせ板２４が前記下部管束２２の上方を覆うように配設されている。さらに上記そらせ板２４の直下方には、前記下部管束２２の上面と所定間隔を有するように、左右対称に２分割された空気冷却用冷却管群２５ａ、２５ｂが配設されている。上記左右一対の空気冷却用冷却管群２５ａ，２５ｂはそれらの対向内面側が垂直に形成されるとともに互いに所定距離だけ離間され、上下方向の通路２６が形成されている。また各空気冷却用冷却管群２５ａ，２５ｂの外側面は前記そらせ板２４の傾斜板部に沿うように傾斜され、左右一対からなる空気冷却用冷却管群２５ａ，２５ｂの外形が末広がり状としてある。
【００２３】
ところで、前記そらせ板２４は、図２及び図３に示すように、各空気冷却用冷却管群２５ａ，２５ｂを各別に覆うように互いに並行な２つのそらせ板部２４ａ，２４ｂによって形成されており、その各そらせ板部２４ａ，２４ｂは、空気冷却用冷却管群２５ａ，２５ｂの内面に沿う垂直片部２７ａと、外面に沿う傾斜片部２７ｂと、その垂直片部２７ａと傾斜片部２７ｂの頂部を接続する頂辺部２７ｃにより形成されている。そして、上記両そらせ板部２４ａ，２４ｂの上部が複数の連通路２８により接続され、各空気冷却用冷却管群２５ａ，２５ｂの上部空間が互いに連通されている。また、両そらせ板部２４ａ，２４ｂの傾斜片部２７ｂの下部内面には、前記下部管束２２の上面を覆うとともに、下部管束２２の中央空所２２ａと連通する開口部２７ｄを有する平板部２７ｅが設けられている。
【００２４】
一方、左右対称に２分割された上部管束２１の互いに対向する面間に形成された中央空所２１ａ内には、下端が前記そらせ板２４の各連通路２８に接続された空気排出内管２９が上下方向に貫挿され、その頂端が空気排出ヘッダ３０に接続されており、この空気排出ヘッダ３０に空気排出管１５が接続されている。さらに、上記空気排出ヘッダ３０の両側面には、斜め下方外方に延び上部管束２１内に突入するショートパス防止板３１が設けられている。
【００２５】
しかして、本体胴１の上部に流入した蒸気は、前述の如く多数の冷却管から構成される上部管束２１及び下部管束２２へ流入する。この両管束２１，２２にそれぞれ流入した蒸気は管束を横切って流れる際に、伝熱管表面で冷却されて凝縮しドレンとなる。このドレンは重力によって下方に流れ、上部管束２１では下部でそらせ板２４の傾斜片部２７ｂの上を流れて管束外部に出てホットウエル１３に落下する。
【００２６】
また、下部管束２２でも同様にドレンを生じ、ホットウエル１３に直接落下する。そして、これらのドレンの落下過程で周囲の飽和蒸気中に散水される。
【００２７】
一方、図２及び図３で矢印で示すように、管束を通過して管束中央部に流れる蒸気は、管束中央部に入るまでに蒸気の大部分は凝縮し、空気等の不凝縮ガスの濃度の高い蒸気となる。そして、この蒸気は中央部の上下方向の中央空所２１ａを流下し、さらに空気冷却用冷却管群２５ａ，２５ｂ間の通路２６を通り下部管束２２と空気冷却用冷却管群２５ａ，２５ｂとの間隙を経て、空気冷却用冷却管群２５ａ，２５ｂを下から上に向って流れる。また、下部管束２２における蒸気も中央空所２２ａを上方に流れ、左右に分かれた後空気冷却用冷却管群２５ａ，２５ｂにそれぞれ流入する。
【００２８】
上記空気冷却用冷却管群２５ａ，２５ｂでは、残留している蒸気が殆ど凝縮して不凝縮ガスのみが点線矢印で示すように、各空気冷却用冷却管群２５ａ，２５ｂとその上方の各そらせ板部２４ａ，２４ｂ間に形成されている空所に集まり、さらに両そらせ板部２４ａ，２４ｂを連通している連通路２８を経て空気排出内管２９に流入し、その空気排出内管２９を上昇し空気排出ヘッダ３０に導かれ、さらに空気排出管１５を介して本体胴１の外部へ排出される。
【００２９】
ところで、上部管束２１の中央空所２１ａに多量の蒸気が直接ショートパスして流入すると、管束中央部の圧力が上がり、これにより管束外周から流入した蒸気が管束の中央空所２１ａに向かう流速が下がり、冷却管周辺に蓄積する不凝縮ガスの排出が速やかに行われなくなる。これによって冷却管表面における熱伝達が阻害されて管束外部の圧力が上がってタービン排気圧力が上がり熱エネルギーの有効利用が阻害される。
【００３０】
しかるに、本発明においては空気排出ヘッダ３０の両側に上部管束２１内に突入するショートパス防止板３１が設けられ上部管束２１の中央部に形成されている中央空所２１ａを覆っているので、管束内外の差圧による空気排出ヘッダ３０の側面からの蒸気ショートパスが防止され、上述の如き不都合が解消される。
【００３１】
また、本発明は不凝縮ガスを管束の中央部に設けた空気排出内管２９を介して上方に導き、管束上部から空気排出管１５を経て本体胴１の外部に排出するので、管束の両側の蒸気流速の速い部分に空気排出管１５を配設する必要がなく、蒸気流の圧損による熱エネルギーの損失を防止することができる。
【００３２】
図４は本発明による復水器の他の実施の形態を示す断面図であり、空気排出内管２９が上部管束２１の上方に突出されており、上記上部管束２１の上方に配設された空気排出ヘッダ３０に接続されている。そして、上記空気排出内管２９の上記上部管束２１の頂部から突出する部分の両側にショートパス防止板３１が設けられている。すなわち、上記空気排出内管２９がショートパス防止板３１を貫通する形になっている。
【００３３】
したがって、この場合も第１の実施の形態と同一効果を奏する。
【００３４】
図５は、本発明の復水器における他の実施の形態における空気冷却用冷却管群の一部切開斜視図であって、空気排出内管２９が各そらせ板部２４ａ，２４ｂにそれぞれ接続されている。したがって、管束部を経た不凝縮ガスは、左右の各空気冷却用冷却管群２５ａ，２５ｂの上部空所からそれぞれ空気排出内管より上方の空気排出ヘッダへ向って排出される。
【００３５】
図６及び図７は、本発明の復水器におけるさらに他の実施の形態を示す復水器の冷却管管束部の断面図及びその一部切欠き斜視図であって、上部管束２１の下端部には上方に向って幅が狭くなった空所２３が形成され、その空所２３の頂部から上方に延びる中央空所２１ａが設けられている。また、下部管束２２は左右対称に２分割されており、その中央には上下方向に貫通する中央空所２２ａが設けられている。
【００３６】
上記空所２３内には、下端が左右方向に拡開する八の字型のそらせ板２４が前記下部管束２２の上方を覆うように配設されており、そのそらせ板２４の直下方には、下部管束２２の上面と所定間隔を有するように、左右対称に２分割された空気冷却用冷却管群２５ａ、２５ｂが配設されている。
【００３７】
前記そらせ板２４は、図６及び図７に示すように、上記空気冷却用冷却管群２５ａ、２５ｂの上方傾斜面に沿う傾斜板部２７ｂと、空気冷却用冷却管群２５ａ、２５ｂの内面に沿う垂直片部２７ａ、及び空気冷却用冷却管群２５ａ、２５ｂの下部に配設され、下部管束２２の中央空所２２ａと連通する開口部を有する平板部２７ｅが設けられている。
【００３８】
ところで、左右対称に２分割された下部管束２２の互いに対向する面間に形成された中央空所２２ａ内には、上端が空気冷却用冷却管群２５ａ、２５ｂの上方空間に開口する空気排出内管３３が上下方向に貫挿されている。
【００３９】
すなわち、上記そらせ板２４によって形成された空気冷却用冷却管群２５ａ、２５ｂの上方空所３４ａ、３４ｂは連通路２８によって連通されており、その連通路２８に上記空気排出内管３３の上端が接続され、その空気排出内管３３の下端が、下部管束２２の下方に設けられている空気排出ヘッダ３０に接続されており、その空気排出ヘッダ３０に空気排出管１５が接続されている。さらに、上記空気排出内管３３の両側面には水平外方に延び下部管束２２内に突入するショートパス防止板３１が設けられている。
【００４０】
しかして、第１の実施の形態と同様に、各空気冷却用冷却管群２５ａ、２５ｂとその上方のそらせ板２４との間に形成されている空所に集まった不凝縮ガスは、連通路２８を経て空気排出内管３３に流入し、その空気排出内管３３を下降して空気排出ヘッダ３０に導かれ、さらに空気排出管１５を介して本体胴１の外部に排出される。
【００４１】
一方、上記空気排出内管３３に設けられているショートパス防止板３１によって中央空所２２ａ内に下端から流入する蒸気量が規制され、管束内外の差圧が保持され、冷却管周辺に蓄積する不凝縮ガスの排出が効果的に行われる。
【００４２】
図８及び図９は本発明の復水器のさらに他の実施の形態を示す図であり、空気冷却管群２５ａ、２５ｂを支持している支え板３５には、そらせ板２４で囲われた空気冷却管群２５ａ、２５ｂの上部空間部に空気連通孔３６が設けられており、上記支え板３５により区劃されている空気冷却管群２５ａ、２５ｂの管軸方向の最も端部の区分のみに前記空気排出内管３３が設けられている。
【００４３】
したがって、各支え板３５間で発生した不凝縮ガスは、図９に示すようにこの各支え板３５に設けられた空気連通孔３６を通り冷却管長手方向に流れ、最も端の区分から空気排出内管３３を経て器外に排出される。この場合空気排出ヘッダ３０は不要となり、さらに空気排出内管３３がない区分においては、蒸気のショートパスを防止するためのショートパス防止板３１のみが設けられる。
【００４４】
したがって、この例においても前記各実施の形態と同様な効果を奏する。
【００４５】
【発明の効果】
以上説明したように、本発明は前後方向に延びる多数の冷却管を互いに平行に配列した冷却管管束の上下方向中央部に、下端が左右方向に拡開する八の字型のそらせ板を配設し、そのそらせ板の下側に左右対称に２分割された末広がり状に配設された空気冷却用冷却管群を設けるとともに、上記冷却管管束内部に、端部が上記空気冷却用冷却管群の上部空所に連通する空気排出内管を設けたので、空気排出管を管束上部或は下部に配設でき管束の両側の蒸気流速が速い部分に空気排出管を配設する必要がなく、蒸気流の圧損による熱エネルギーの損失を防止でき、しかも復水器をコンパクト化することができる。さらに、管束の中央空所にショートパス防止板を設けた場合には、管束内部へのショートパス蒸気を阻止することができ、伝熱性能を向上することができる。
【図面の簡単な説明】
【図１】本発明による復水器の一実施の形態を示す縦断面図。
【図２】図１に示す復水器の冷却管管束部の断面図。
【図３】図２に示す冷却管管束部の一部切欠き斜視図。
【図４】本発明による復水器の他の実施の形態を示す冷却管管束部の断面図。
【図５】本発明による復水器のさらに他の実施の形態を示す空気冷却用冷却管群部の一部切欠き斜視図。
【図６】本発明による復水器の他の実施の形態を示す冷却管管束部の断面図。
【図７】図６に示す冷却管管束部の一部切欠き斜視図。
【図８】本発明の復水器のさらに他の実施の形態を示す冷却管管束部の断面図。
【図９】図８に示す冷却管管束部を有する復水器の概略構成を示す縦断面図。
【図１０】従来の復水器の一実施の形態を示す縦断面図。
【符号の説明】
１  復水器本体胴
１３  ホットウエル
１５  空気排出管
２０  冷却管管束
２１  上部管束
２２  下部管束
２３  空所
２４  そらせ板
２４ａ，２４ｂ  そらせ板部
２５ａ，２５ｂ  空気冷却用冷却管群
２６  通路
２８  連通路
２９  空気排出内管
３０  空気排出ヘッダ
３１  ショートパス防止板
３３  空気排出内管
３５  支え板
３６  空気連通孔
【図１】
0003735405.tif 000002
【図２】
0003735405.tif 000003
【図３】
0003735405.tif 000004
【図４】
0003735405.tif 000005
【図５】
0003735405.tif 000006
【図６】
0003735405.tif 000007
【図７】
0003735405.tif 000008
【図８】
0003735405.tif 000009
【図９】
0003735405.tif 000010
【図１０】
0003735405.tif 000011